(57)【要約】      （修正有）【課題】業務用の延長の長い平巻き形状の合成樹脂製ロープを収納して、ロープを絡まずに取り出すことができ、また、頻繁に移動させても、中身がしにくい合成樹脂製ロープの絡み防止具を提供する。【解決手段】平巻き形状の合成樹脂製ロープ１０の巻物を函体内部に収納した合成樹脂製ロープの絡み防止具１であって、該合成樹脂製ロープの絡み防止具が、下蓋体３と、上面の中央部にロープ引出すための開口部を備えた上蓋体２と、該下蓋体と該上蓋体とを固定する単数又は複数の連結具４と、から構成する。さらに、前記下蓋体と前記上蓋体とを連結した前記函体が、略円盤形状をしており、かつ、該函体の内径が３２〜３７ｃｍで内高の最大を７〜１２ｃｍとする。また、構成する該下蓋体３と該上蓋体２と該連結具４とは金属製又は合成樹脂製である。【選択図】図１
0003179598.tif 000002
【実用新案登録請求の範囲】
【請求項１】
平巻き形状に巻かれた合成樹脂製ロープの巻物を函体内部に収納した合成樹脂製ロープの絡み防止具であって、該合成樹脂製ロープの絡み防止具が、下蓋体と、上面の中央部にロープを引出すための開口部を備えた上蓋体と、該下蓋体と該上蓋体とを固定する単数又は複数の連結具と、から構成されており、前記下蓋体と前記上蓋体とを連結した前記函体が、中央部が厚みがあり外縁になるに従って徐々に薄くなっていって外縁部で急激に厚みが薄くなる略円盤形状をしており、かつ、該函体の内径が３２〜３７ｃｍで内高の最大が７〜１２ｃｍであり、また、構成する該下蓋体と該上蓋体と該連結具とが金属製又は合成樹脂製であることを特徴とする合成樹脂製ロープの絡み防止具。
【請求項２】
前記上蓋体が、内部を可視化できる構造であって、放射状の多数の隙間を有していること、又は、部分的に透明であることを特徴とする請求項１に記載の合成樹脂製ロープの絡み防止具。
【請求項３】
前記上蓋体に、運搬用の把持部を付設したことを特徴とする請求項１又は２に記載の合成樹脂製ロープの絡み防止具。
【請求項４】
前記上蓋体に、ロープ切断用のカバー付きのカッターを付設したことを特徴とする請求項１又は２又は３に記載の合成樹脂製ロープの絡み防止具。
【請求項５】
前記下蓋体の下面に据付用の足を付設したことを特徴とする請求項１から４のいずれかに記載の合成樹脂製ロープの絡み防止具。
【考案の詳細な説明】
【技術分野】
【０００１】
本考案は、長尺の平巻き形状の合成樹脂製ロープ束を使用する際に、最後まで絡まずにロープ引き出すことができ、また、頻繁にロープの束を移動させたり、時には、投げたりしても壊れない合成樹脂製ロープの絡み防止具に関するものである。
【背景技術】
【０００２】
荷造り用の紐は、玉巻き形状、平巻き形状などに巻かれた状態で市販されている。主に業務用に使われる総延長１５０〜３００ｍを有する長尺ものは、通常、平巻き形状に巻かれている。この平巻き形状の紐は、使用しているうちに、巻きつけている形状が変形して絡んでしまい、最後まで使用できないという問題があった。
【０００３】
一方、玉巻きのものは、通常、総延長が短くて家庭で使用されるものであって、玉巻きの外縁をビニールの覆いで保護している。そして、ビニールの覆いで保護しているので、使用中は絡まることが少ないが、やはり残量が少なくなると玉巻き形状を維持できなくなることや、使用後の端部が長くなり仕舞いに手間が掛かるという不便さがあった。そこで、玉巻き形状の紐を対象に、箱に入れることによって、玉巻き形状を維持することができ、また、使用中に端部の紐が長くなれば、玉巻き形状の束の中に仕舞い込む代わりに、保管箱に巻きつけることによって無駄な操作を省き、さらに、カッターの刃を装備して、ハサミがなくとも紐を切断できるようにした紐の保管箱が先行技術として開示されている（文献１）。
【先行技術文献】
【特許文献】
【０００４】
【特許文献１】特開２００９−１６１２３９号公報（〔請求項１〜４〕、〔００１７〕、〔図４、８〕）。
【考案の概要】
【考案が解決しようとする課題】
【０００５】
前記先行技術は、家庭用に使用される玉巻き形状のものにおいては便利であるが、平巻き形状のロープの束を頻繁に移動させる作業、例えば、植木剪定時の集積作業では、４〜８人のグループ内で一つの合成樹脂製ロープを投げ渡したりして、剪定枝を結束する作業する場合があるが、先行技術のものでは、箱を大きくして、総延長の長い合成樹脂製ロープを入れたとしても、過激に取り扱う場合には、箱が潰れたり、また、箱の中身である合成樹脂製ロープが飛び出して、剪定枝を結束する作業に支障をきたしてしまう等の問題があった。
【０００６】
そこで、上記の問題を解決するために、業務用に用いられる総延長の長い平巻き形状の合成樹脂製ロープを収納して、ロープを絡まずに取り出すことができ、また、頻繁に移動させても、又、投げ渡しても中身が飛び出さず、しかも壊れにくい合成樹脂製ロープの絡み防止具を考案して提供するものである。
【課題を解決するための手段】
【０００７】
本考案の請求項１に係る合成樹脂製ロープの絡み防止具は、平巻き形状に巻かれた合成樹脂製ロープの巻物を函体内部に収納した合成樹脂製ロープの絡み防止具であって、該合成樹脂製ロープの絡み防止具が、下蓋体と、上面の中央部にロープを引出すための開口部を備えた上蓋体と、該下蓋体と該上蓋体とを固定する単数又は複数の連結具と、から構成されており、前記下蓋体と前記上蓋体とを連結した前記函体が、中央部が厚みがあり外縁になるに従って徐々に薄くなっていって外縁部で急激に厚みが薄くなる略円盤形状をしており、かつ、該函体の内径が３２〜３７ｃｍで内高の最大が７〜１２ｃｍであり、また、構成する該下蓋体と該上蓋体と該連結具とが金属製又は合成樹脂製であることを特徴とする。
【０００８】
本考案に係る合成樹脂製ロープの絡み防止具は、下蓋体の上面（内面）に平巻き形状の合成樹脂製ロープの束を入れて、その上側から上蓋体を被せる。このときに、合成樹脂製ロープの使用する側の端部を上蓋体の中央部の開口部を通じて外に出しておく。そして、下蓋体と上蓋体を連結具でしっかりと固定する。よって、上蓋体の中央部から飛び出している合成樹脂製ロープの端部を引っ張れば、合成樹脂製ロープの絡み防止具は適当な重量があって姿勢が安定しており、また、上蓋体で合成樹脂製ロープの束を押さえて固定することができるので、絡むことなく最後までロープを引き出すことができる。また、下蓋体と上蓋体とをしっかり連結して固定しているので、本考案に係る合成樹脂製ロープの絡み防止具を頻繁に移動させたり、雑に扱ったり、時には投げ渡したりしたとしても、中身である合成樹脂製ロープの束が飛び出したりしない。したがって、このように、ロープの絡み防止具からロープが円滑に取り出せるので、ロープを用いる結束作業を順調に遂行できる。
【０００９】
また、合成樹脂製ロープの絡み防止具の形状は、概略円盤形状で、中央部が厚み（高さ）があり、外縁部に向かって徐々に厚みが薄くなっていき、外縁部で急激に厚みがなくなっている。本考案に係る合成樹脂製ロープ絡み防止具は、この様な円盤形状であることから、地面に置いてもしっかりと安定していて転げることはない。よって、ロープを引っ張り出す際に、絡み防止具がひっくり返って裏返しになることがないので順調にロープを引き出すことができる。また、合成樹脂製ロープ絡み防止具を上蓋体を上に向けて、そのまま乱雑に地面に落としたとしても、ひっくり返ることがないし、中身のロープの束が飛び出すことがないので、そのままロープを引き出すことができる。また、外形に突起物や尖がった箇所がないので、手渡し又は投げ渡しの際に受け止めても痛くなく体に優しい。例えば、集積作業時に木の上から落としても、下にいる作業員がドッジボールのようにキャッチすることができる。
【００１０】
また、本考案に係る合成樹脂製ロープの絡み防止具の材質は、金属製又は樹脂製であるので頑丈であり、落下させても壊れにくいし、また、製作も容易である。
【００１１】
請求項２に係る合成樹脂製ロープの絡み防止具は、請求項１において、前記上蓋体が、内部を可視化できる構造であって、放射状の多数の隙間を有していること、又は、部分的に透明であることを特徴とする。
【００１２】
この構成によって、本考案に係る合成樹脂製ロープの絡み防止具内に収納されたロープの束の残量を容易に確認することができるので、ロープが無くなることを前もって把握することができ、段取り良く結束や荷造り作業をすることができる。
【００１３】
請求項３に係る合成樹脂製ロープの絡み防止具は、請求項１又は２において、前記上蓋体に、運搬用の把持部を付設したことを特徴とする。
【００１４】
運搬用の把持部が付設してあるので、移動の際の持ち運びに大変便利である。また、ロープの使用する側の端部を把持部に括りつけることによって、移動中や作業終了後のロープ端部の絡みや意図しないロープの引出しを防止できる。また、ロープを長く引き出しすぎた場合には、括りつけた端部から余分のロープの部分を上蓋体の開口部から絡み防止具の内部に押し込めば絡みを防止することができて、次回、使用する際にもロープをスムーズに取り出すことができる。
【００１５】
請求項４に係る合成樹脂製ロープの絡み防止具は、請求項１又は２又は３において、前記上蓋体に、ロープ切断用のカバー付きのカッターを付設したことを特徴とする。
【００１６】
この構成によって、いちいちハサミを持ち歩かなくとも、また、カッターの刃でロープを切断することができて大変便利である。カッターを使用しない時には、カバーをカッターに被せて安全である。
【００１７】
請求項５に係る合成樹脂製ロープの絡み防止具は、請求項１から４のいずれかにおいて、前記下蓋体の下面に据付用の足を付設したことを特徴とする。
【００１８】
この構成によって、据付用の足を取付ければ、合成樹脂製ロープの絡み防止具を斜面や凸凹した地面に置いた場合でも安定し、また、下蓋体が地盤から浮くので、雨天時にできる水溜りに、合成樹脂製ロープの束が浸かるのを防ぐこともできる。よって、中に入っている合成樹脂製ロープの束が汚れることや劣化することを防ぐことができる。
【考案の効果】
【００１９】
本考案に係る請求項１から５に記載の合成樹脂製ロープの絡み防止具によれば、長尺の平巻き形状の合成樹脂ロープの束を頻繁に移動させたとしても、ロープの使用において大変便利で作業効率が上がる。しかも、最後まで絡ませずに取り出して使用することができるので、無駄がなく経済的である。また、ロープを把持部に括りつけることによって、移動中や作業終了後のロープ端部の絡みや意図しないロープの引出しを防止できる。また、ロープを長く出しすぎた場合には、括りつけた端部からの余分のロープの部分を上蓋体の開口部から内部に押し込めるので絡みを防止でき、次回もロープをスムーズに使用できる。カバー付きのカッターがついているので、ハサミがなくとも切断することができて便利である。また、足を付けることによって、平地以外の場所で使用しても、合成樹脂製ロープの絡み防止具の姿勢は安定する。本合成樹脂製ロープの絡み防止具は、金属製又は合成樹脂製であるから製作が容易であり、経済的である。
【図面の簡単な説明】
【００２０】
【図１】図１は、本考案を実施するための形態に係る合成樹脂製ロープの絡み防止具の模式的斜視図である。
【図２】図２は、本考案を実施するための形態に係る合成樹脂製ロープの絡み防止具の正面図である。
【図３】図３は、本考案を実施するための形態に係る合成樹脂製ロープの絡み防止具の上蓋体を外した状態の平面図である。
【図４】図４は、本考案を実施するための形態に係る合成樹脂製ロープの絡み防止具の足を取付けた場合の正面図である。
【考案を実施するための形態】
【００２１】
本考案に係る合成樹脂製ロープの絡み防止具を実施するための形態について図１、図２、図３、図４を用いて説明する。図１は、本考案を実施するための形態に係る合成樹脂製ロープの絡み防止具の模式的斜視図である。図２は、本考案を実施するための形態に係る合成樹脂製ロープの絡み防止具の正面図である。図３は、本考案を実施するための形態に係る合成樹脂製ロープの絡み防止具の上蓋体を外した状態の平面図である。図４は、本考案を実施するための形態に係る合成樹脂製ロープの絡み防止具の足を取付けた場合の正面図である。
【００２２】
図１、図２、図３、図４を用いて、合成樹脂製ロープの絡み防止具１を説明する。本考案に係る合成樹脂製ロープの絡み防止具１は、下蓋体３と、上面の中央部に合成樹脂製ロープ１０を取り出す開口部２−１を有する上蓋体２と、該下蓋体３と該上蓋体２とを連結して固定する連結具４と、を少なくとも備えている。
【００２３】
下蓋体３と上蓋体２とが、連結具４によって、連結して函体を形成しており、その函体の形状は、略円盤形状であり、中央部が厚み（高さ）があり、外縁部に向かって徐々に厚みが薄くなっていき、外縁部で急激に厚みがなくなっている。その函体の内部に平巻き形状の合成樹脂製ロープ１０の束を収納している。函体の内側の大きさは、平巻き形状の合成樹脂製ロープ１０の束より１〜２ｃｍぐらい大きいものが好ましく、具体的には、函体の内径が３２〜３７ｃｍで内高の最大が７〜１２ｃｍぐらいのものが好ましい。そして、合成樹脂製ロープ１０のうち使用する側の端部を、上蓋体２の開口部２−１から外部に引き出しておく。なお、合成樹脂製ロープ１０とは、例えば、ＰＰロープなどがあり、また、平巻き形状の合成樹脂製ロープ１０は、一般に直径５〜１０ｍｍで総延長がおよそ１５０〜３００ｍのものである。
【００２４】
下蓋体３は、金属製又は合成樹脂製でできており、中央部から外縁部に向かって放射状（縦の格子状）の隙間のないボウル状になっていることが好ましい。放射状の隙間にした場合には、合成樹脂製ロープの絡み防止具１全体のの重量が軽くなり、また、上蓋体２の格子の隙間から入ったゴミや雨水等が格子の間から下に落ちるので、合成樹脂製ロープの絡み防止具１の内部に溜まらない。よって、中に収納された合成樹脂製ロープ１０の束が汚れることや劣化することを防ぐことができる。下蓋体３の下面（外面に）足７を取付けることもできる。足７を取付ければ、合成樹脂製ロープの絡み防止具１を斜面や凸凹した地面に置いた場合でも安定し、また、下蓋体３が地面から浮くので、雨天時にできる水溜りに、合成樹脂製ロープ１０の束が浸かるのを防ぐことができる。よって、中に入っている合成樹脂製ロープ１０の束が汚れることや劣化することを防ぐことができる。また、下蓋体３は、金属製又は合成樹脂製でできているので、頑丈であり壊れにくい。
【００２５】
上蓋体２は、下蓋体３と同様に金属製又は合成樹脂製でできており、中央部から外縁部に向かって放射状の隙間を有するようになっている。また、中央部には、開口部２−１があり、ここを通って合成樹脂製ロープ１０が外部に引き出される。上蓋体２は、放射状の隙間を有し又は透明な合成樹脂製にすることによって、内部が透けて見えるので、内部に収納された平巻き形状の合成樹脂製ロープ１０の束の残量が一目で確認できる。よって、残量が残り少ない場合には、前もって合成樹脂製ロープ１０の束の替えを用意できるので、段取り良くロープの結束作業を遂行できる。また、放射状の隙間を有することより、下蓋体３と同様に合成樹脂製ロープの絡み防止具１全体の重量が軽くすることができる。また、上蓋体２も、金属製又は合成樹脂製でできているので、頑丈であり壊れにくい。
【００２６】
また、上蓋体２には、運搬用の把持部５が設けており、合成樹脂製ロープの絡み防止具１を移動させる際に、把持部５を持って移動できるので大変便利である。また、把持部５は、合成樹脂製ロープ１０の使用する側の端部を括りつけることができるので、使用しない場合に絡みや内部に引き込まれることを防止できる。その際に、括りつけた合成樹脂製ロープ１０の端部と、開口部２−１との間に合成樹脂製ロープ１０の弛みがあった場合には、その弛み部分を開口部２−１から内部に押し込むことによって、引っ掛かりを防止し、余分な合成樹脂製ロープ１０がその束から出ていくことを防ぐことができる。
【００２７】
また、上蓋体２には、切断用のカバー付きのカッター６を備えているので、作業員がハサミを持っていなくとも、合成樹脂ロープ１０をカッター６で切断することができる。カッター６を使用しないときは、カバーを付けることによって作業員が傷つくことを防ぐことができるので、安全である。カッター６は、バネつきで使用時のみカバー（ケース）から出せるタイプのものでも良い。
【００２８】
連結具４は、上蓋体２と下蓋体３とを連結させるもので、連結具４の一部に連結を固定させる固定部材４−１を有している。連結具４は、上蓋体２と下蓋体３とが接している円周部分を一つの連結具４で連結させても良いし、該円周部分を複数の連結具で等分し、夫々を連結させても良い。本考案に係る合成樹脂製ロープの絡み防止具１は、屋外で雑に扱われる場合が多いので、固定部材４−１でしっかり固定するのが好ましい。なお、連結具４も金属製又は合成樹脂製でできている。
【００２９】
次に、本考案に係る合成樹脂製ロープの絡み防止具１の製造方法の一例を説明する。まず、上蓋体２は、プレスで打ち抜いた開口部２−１を有する中央部に用いる金属製の部材と、外縁部に用いる金属製の部材との間を結ぶように、直径約２ｍｍの金属製の棒を所定の本数並べて格子となる所定の形状に曲げて、夫々溶接して固定する。また、下蓋体３も同様に溶接して製造する。このとき、上蓋体２には、把持部５を格子状の棒に溶接し、カバー付きカッター６を格子状の棒又は中央部に用いる部材に溶接又は接着で固定する。そして、射出成形で作成した樹脂に固定部材４−１を取付けて連結具４を製作する。そして、上蓋体２の下縁と、下蓋体３の上縁と、を合わせて連結具４で連結し固定部材４-１で固定して組み立てれば、合成樹脂製ロープの絡み防止具１は完成する。
【００３０】
次に、本考案に係る合成樹脂製ロープの絡み防止具１の使用方法の一例を説明する。合成樹脂製ロープの絡み防止具１は、例えば、植木の剪定作業における集積時に剪定枝を結束する作業に用いれば大変便利である。
【００３１】
その場合には、まず、下蓋体３の上面（内面）に、平巻き形状の合成樹脂製ロープ１０の束を置き、それに上蓋体２を被せて、連結具４とその部材である固定部材４−１を用いて連結して固定する。このとき、合成樹脂製ロープ１０は、使用する側の端部をあらかじめ上蓋体２の開口部２−１から外部に出しておく。そして、出された合成樹脂製ロープ１０の端部を上蓋体２に備えられた把持部５に括り付けておく。これで使用前の準備が完了である。
【００３２】
次に、剪定枝を結束する作業では、作業員は、地面に置かれた合成樹脂製ロープの絡み防止具１の開口部２−１から出ている合成樹脂製ロープ１０を、手で引っ張り出して、必要な長さになれば上蓋体２に備えたカッター６のカバーを外して合成樹脂製ロープ１０を切断する。そして、切断した合成樹脂製ロープ１０で剪定枝の束を縛って、剪定枝の嵩を小さくして運搬用のトラックに載せる。使用したカッター６に再びカバーをつけて安全を確保する。使用するカッター６は、バネ式で使用時のみ手で刃を出し、手を離せばカバーに戻るタイプのものでも良い。カッター６で合成樹脂製ロープ１０を切断した際に、該ロープ１０が合成樹脂製ロープの絡み防止具１内に引き込まれることを防ぐための引き込み防止具を設けるのが好ましい。この作業を繰り返して、剪定枝を結束していく。前述したように、本考案に係る合成樹脂製ロープの絡み防止具１は、大変安定した形状であることと、ある程度の重さがあって重心が低くくバランスが良いことから、合成樹脂製ロープ１０を引き出す際に、合成樹脂製ロープの絡み防止具１がひっくり返ったりしないので、順調にロープ１０を取り出せる。また、下蓋体３の下面（外面）に足７を取付けることもできる。足７を取付ければ、合成樹脂製ロープの絡み防止具１を斜面や凸凹した地面に置いた場合でも安定する。また、足７を取付ければ、下蓋体３が地盤から浮くので、雨天時にできる水溜りに、合成樹脂製ロープ１０の束が浸かるのを防ぐことができる。よって、中に入っている合成樹脂製ロープ１０の束が汚れることを防ぐことができる。合成樹脂製ロープ１０の引き出し作業が終われば、合成樹脂製ロープ１０の端部を把持部５に括りつければ、合成樹脂製ロープ１０の思わぬ引出しや絡みを防止することができる。
【００３３】
剪定作業では、頻繁に作業場所を移動するが、本考案に係る合成樹脂製ロープの絡み防止具１を移動させる場合には、合成樹脂製ロープ１０の不用な引出しや絡みを防止するために、把持部５に合成樹脂製ロープ１０の端部を括りつけてから移動する。運搬用の把持部５があるので、作業員は片手で合成樹脂製ロープの絡み防止具１を持って移動できるので大変便利であり、また、安全に移動できる。そして、剪定時の結束作業では、合成樹脂製ロープの絡み防止具１を、作業員同士で脚立の上から下に投げ渡すこともあるが、本考案に係る合成樹脂製ロープの絡み防止具１は、全体的に丸みを帯びた形状であり、突起物がないので受け取る側の作業員も安全に受け取れるので効率よく作業できる。ここで、本考案に係る合成樹脂製ロープの絡み防止具１０は、頻繁に移動させたり、雑に扱ったり、時には投げ渡したりしても、上蓋体２と下蓋体３とがしっかりと連結して固定されているので、中身である合成樹脂製ロープの束１０が外部に飛び出さない。また、人のいない地点に落としても、本考案に係る合成樹脂製ロープの絡み防止具１は、金属製または合成樹脂製でできており、頑丈なので壊れない。
【００３４】
作業終了後は、合成樹脂製ロープ１０の端部を把持部５に括りつけ、合成樹脂製ロープ１０の弛みを開口部２−１から本考案に係る合成樹脂製ロープの絡み防止具１内に押し込めば、保管中も合成樹脂製ロープ１０が絡むことはない。把持部５を持って合成樹脂製ロープの絡み防止具１を縦向きにして揺すれば、合成樹脂製ロープの絡み防止具１内の平巻き形状の合成樹脂製ロープ１０の束についている埃を上蓋体２および下蓋体３の隙間から落とすことができる。
【産業上の利用可能性】
【００３５】
移動を頻繁に行いながら荷造り作業やロープで縛る作業を行う結束作業の分野で広く利用できる。
【符号の説明】
【００３６】
１：合成樹脂製ロープの絡み防止具
２：上蓋体                  ２−１開口部
３：下蓋体
４：連結具                ４-１：固定部材
５：把持部          
６：カッター
７：足
１０：合成樹脂製ロープ  
【図１】
0003179598.tif 000003
【図２】
0003179598.tif 000004
【図３】
0003179598.tif 000005
【図４】
0003179598.tif 000006